(57)【特許請求の範囲】
【請求項１】
受信データからプリアンブル信号を検出しこれに基づいてス
イッチの切替により音声通信とＦＡＸ通信を切り替え、ＦＡＸ端末間のＦＡＸ転送を中継するＦＡＸ中継装置のプリアンブル信号の検出確定方法において、
ＦＡＸ通信が確立してからＦＡＸ通信が終了するまでの間、プリアンブル信号
を検出するために設定する検出保護時間を、音声通信が行われている時の検出保
護時間よりも短くすることを特徴とするプリアンブル信号の検出確定方法。
【請求項２】
受信データ中のプリアンブル信号の検出に基づいてスイッチ
の切替により音声通信とＦＡＸ通信を切り替え、ＦＡＸ端末間のＦＡＸ転送を中継するＦＡＸ中継装置のプリアンブル信号検出制御回路において、
受信データとプリアンブル信号をビット比較し一致・不一致信号を出力するプリアンブル信号検出回路と、前記プリアンブル信号の検出結果を入力とし連続した一致信号のみ計数し不一致信号の入力によりカウント値をリセットするカウンタ回路と、プリアンブル信号の検出を確定するための保護時間を設定する保護時間設定回路と、前記カウンタ回路の出力と前記保護時間を比較し前記カウンタ回路のカウント値が前記保護時間よりも大きくなった場合にプリアンブル信号の検出確定信号を出力する検出判定回路とを備え、
ＦＡＸ通信が確立してからＦＡＸ通信が終了するまでの間、前記保護時間を音
声通信が行われている時の保護時間よりも短くすることを特徴とするプリアンブ
ル信号検出制御回路。
【請求項３】
請求項２記載のＦＡＸ中継装置のプリアンブル信号検出制御
回路において、前記ＦＡＸ中継装置は前記ＦＡＸ端末間に複数台設けられ、対向するＦＡＸ中継装置におけるプリアンブル信号の検出が確定した旨を示すプリアンブル復調情報信号の受信したときに、前記保護時間を短くすることを特徴とするプリアンブル信号検出制御回路。
【請求項４】
請求項２記載のＦＡＸ中継装置のプリアンブル信号検出制御
回路において、前記検出判定回路からプリアンブル信号の検出確定信号が出力さ
れている場合に前記保護時間を短くすることを特徴とするプリアンブル信号検出
制御回路。
【発明の詳細な説明】
【０００１】
【発明の属する技術分野】
本発明は、ＦＡＸ信号データを中継伝送するＦＡＸ中継装置に関し、特に音声とＦＡＸのモードの切替に必要なプリアンブル信号を検出するプリアンブル信号検出制御回路に関する。
【０００２】
【従来の技術】
ＣＣＩＴＴ  Ｔ．３０の勧告では、半二重通信を利用したＦＡＸ転送のプロトコルについて規定している。
【０００３】
ＦＡＸデータの転送は、まず送信側のＦＡＸ端末（以下、送信ＦＡＸ端末という。）から対向する受信側のＦＡＸ端末（以下、受信ＦＡＸ端末という。）へＣＮＧトーン信号が送信されることで開始し、これを受けた受信ＦＡＸ端末がＣＥＤトーン信号の送出に続きプリアンブル信号及びＶ．２１信号を送信ＦＡＸ端末へ送出することによってＦＡＸ原稿の転送が開始される。これを受信した送信ＦＡＸ端末も同等にプリアンブル信号及びＶ．２１信号を受信ＦＡＸ端末へ送出する。ＦＡＸ端末には当然のことながら、音声通信も行えるわけであるが、前記のプリアンブル信号の有無を検出することで、音声モードからＦＡＸモードへ切替を行っている。
【０００４】
また、上記モードの切替は、プリアンブル信号の検出に基づき、スイッチ制御により行っているため、保護時間を充分に確保する必要がある。具体的には、切替に際して、ある入力信号がプリアンブル信号であるかどうかを検出する検出器は、音声信号を誤ってプリアンブル信号と検出することがあり、これを回避するため、本当のプリアンブル信号であると判断するのに必要な保護時間を設け、プリアンブル信号が一定時間継続して検出された場合にのみ音声モードからＦＡＸモードに切替を行っている。
【０００５】
次に、図５を用いて一方のＦＡＸ端末におけるプリアンブル信号の検出動作と対向するＦＡＸ端末へ検出保護時間経過後にプリアンブル信号を送出する動作について説明する。
【０００６】
プリアンブル信号を検出するに際しては、受信したデータをバッファ等に一時格納し、プリアンブル信号検出回路にてプリアンブル信号が検出される。図５の受信系統に示すように、バッファから受信データを読み出し、時刻ｘ０にプリアンブル信号の先頭データを検出し、一定長或いは一定時間プリアンブル信号のデータ列と同一信号が検出された時点で（検出保護時間の経過後）、受信したデータがＦＡＸデータを示すことを検出する。
【０００７】
一方、対向するＦＡＸ端末へのプリアンブル信号の送出は、図５の送信系統に示すように、上記プリアンブル信号の検出に基づき、時刻ｘ１に自装置から出力される。以後、上記の動作を繰り返し、ＦＡＸデータの送受終了により音声モードに切り替わる。
【０００８】
【発明が解決しようとする課題】
上記の従来技術では、音声を誤ってプリアンブル信号と検出を防止するため、常に検出保護時間（通常、４００ms相当の比較的大きな値が設定される）を待たなければならず、ＦＡＸ通信における伝送遅延が大きくなってしまう欠点を有する。
【０００９】
そこで、本発明では、プリアンブル信号を含むＦＡＸ信号データの送受信時に発生する伝送遅延を小さくしうるＦＡＸ中継装置の提供を目的とする。
【００１０】
【課題を解決するための手段】
本発明によると、受信データからプリアンブル信号を検出しこれに基づいてス
イッチの切替により音声通信とＦＡＸ通信を切り替え、ＦＡＸ端末間のＦＡＸ転送を中継するＦＡＸ中継装置のプリアンブル信号の検出確定方法において、ＦＡＸ通信が確立してからＦＡＸ通信が終了するまでの間、プリアンブル信号を検出するために設定する検出保護時間を、音声通信が行われている時の検出保護時間よりも短くすることを特徴とするプリアンブル信号の検出確定方法を得ることができる。
【００１１】
また、受信データ中のプリアンブル信号の検出に基づいてスイッチの切替により音声通信とＦＡＸ通信を切り替え、ＦＡＸ端末間のＦＡＸ転送を中継するＦＡＸ中継装置のプリアンブル信号検出制御回路において、受信データとプリアンブル信号をビット比較し一致・不一致信号を出力するプリアンブル信号検出回路と、前記プリアンブル信号の検出結果を入力とし連続した一致信号のみ計数し不一致信号の入力によりカウント値をリセットするカウンタ回路と、プリアンブル信号の検出を確定するための保護時間を設定する保護時間設定回路と、前記カウンタ回路の出力と前記保護時間を比較し前記カウンタ回路のカウント値が前記保護時間よりも大きくなった場合にプリアンブル信号の検出確定信号を出力する検出判定回路とを備え、ＦＡＸ通信が確立してからＦＡＸ通信が終了するまでの間、前記保護時間を音声通信が行われている時の保護時間よりも短くすることを特徴とするＦＡＸ中継装置のプリアンブル信号検出制御回路により構成することができる。
【００１２】
すなわち、本発明のプリアンブル信号検出制御回路は、回路初期化後、入力信号をプリアンブル信号であると確定判定するまでは保護時間を長く設定し、一端プリアンブル信号が確定しＦＡＸモードに移行した後は、保護時間を最初より短くする。ＦＡＸ伝送が開始してしまえば、伝送されるべきデータはＦＡＸ信号しか存在しないため、音声信号の場合とは異なり、誤って別のＦＡＸ信号をプリアンブル信号と誤検出する確率は充分に少ないため、保護時間を短くしても問題ないからである。
【００１３】
【発明の実施の形態】
次に、本発明の一実施の形態について図面を参照して詳細に説明する。図１は、かかる実施形態を示した回路ブロック図である。本回路は、プリアンブル信号検出回路１、保護時間カウンタ制御回路２、検出判定回路３、保護時間設定４にて構成される。これらは、シグナルプロセッサまたはＣＰＵ、及びＩＣ回路等で実現する。
【００１４】
次に、動作について詳細に説明する。プリアンブル信号を含む受信データは、一端バッファリングされ、プリアンブル信号検出回路１にて、複数サンプルブロック毎の入力信号からプリアンブル信号であるかを単純に検出し、検出の都度、保護時間カウンタ制御回路２へハイパルスを出力する。保護時間カウンタ制御回路２では、受信したハイパルスを計数するが、連続的な検出信号を受信したときのみインクリメントし、それ以外の時はカウント値をリセットする。検出判定回路３では、保護時間カウンタ制御回路２が出力するカウント値と、保護時間設定回路から設定された保護時間設定値（初期値は保護が長くなるような値で初期化されている）と比較して、カウント値が当該設定値を越えた場合にプリアンブル信号を確定検出したとみなし、保護時間設定回路４及びＦＡＸ中継装置の別の制御回路へ通知する。プリアンブル検出通知を受信した保護時間設定回路４は、通信モードがＦＡＸモードに移行しているので、検出判定回路３の保護時間設定値を短い時間を設定し、再度プリアンブル信号の検出動作に備える。
【００１５】
そして、ＦＡＸ中継装置の別の回路により、ＦＡＸ端末間のＦＡＸ転送が終了したことが分かった場合、本発明のプリアンブル信号検出制御回路は一旦終了させて、検出判定回路３の保護時間設定値を長い保護時間に設定し、はじめから再スタートさせる。
【００１６】
次に、図３に示すフローチャートを用いてより詳細に説明する。ここで、保護時間設定回路４が検出判定回路３に設定する保護時間をLONG_／SHORT_(ただし、LONG_>SHORT_とする。)とし、検出判定回路３の保護時間設定値Ｍにいずれか設定される。CNTは保護時間カウント制御回路２がプリアンブル信号検出回路１の出力を受けてインクリメントしたカウント値を、FLAGは検出判定回路３から出力されるプリアンブル信号検出結果を示す。
【００１７】
ＦＡＸ中継装置の動作開始と同期にして、本回路もスタートを開始する。スタート直後の初期化として、FLAGをOFFに設定し（Ｓ３０１）、保護時間設定カウント値Ｍに保護時間が長くするように、比較的大きい値LONG_（例えば、４００ｍｓ相当分の値）を設定する（Ｓ３０２）。
【００１８】
あるブロック毎に入力データを取り込み（Ｓ３０３）、入力データが単純にプリアンブル信号かどうかの検出をプリアンブル信号検出処理を行う（Ｓ３０４）。検出結果を基に、検出の判定（Ｓ３０５）を行い、検出した場合は、CNTのインクリメント（Ｓ３０６）を行い、検出しなかった場合は、CNTの零初期化（Ｓ３０７）を行う。
【００１９】
次いて、CNTと保護時間設定カウント値Ｍとの比較を行い、もしCNTが前記Ｍ以上である場合のみ、ＦＬＡＧをＯＮに設定する（Ｓ３０９）。FLAGの結果が、確定後のプリアンブル検出結果となる。保護時間設定回路は、FLAGの状態判定を行い（Ｓ３１０）、ＯＮの場合は保護時間設定カウント値Ｍを保護時間が短くなるような値ＳＨＯＲＴ＿（例えば、１５０ｍｓ相当の値）を設定する（Ｓ３１１）。
【００２０】
この後、ＦＡＸ中継装置の他の回路からの情報を得て、ＦＡＸ原稿送信終了判定（Ｓ３１２）を行い、終了でない場合は次の入力データを受け取る（Ｓ３０３）。
【００２１】
ただし、終了の場合は一旦これらの処理を終了させる（END）。終了した後は、本発明回路は次の備えるため再起動させる（START）。
【００２２】
次に、本発明の第２の実施の形態について図４を参照して説明する。構成は、図１と相違はないが、保護時間設定回路４の制御にプリアンブル復調側の情報を利用する例を示す。プリアンブル復調情報信号とは、ＦＡＸ中継装置が対向するＦＡＸ中継装置から、プリアンブル信号を受信したことを示す情報信号を指す。（ちなみに、図１、図４の入力信号とは、ＦＡＸ端末から送られた信号を示す。）プリアンブル復調情報信号がプリアンブル信号を受信した場合、図４の入力信号は音声信号ではなく、ＣＣＩＴＴ  Ｔ．３０勧告ではＦＡＸ信号であるといえるので、保護時間を長くする必要性がないため、保護時間設定回路４の設定値は保護時間が比較的短い値に設定変更できる。よって遅延時間を少なくすることが可能である。
【００２３】
【発明の効果】
以上により、本発明では、音声モードからＦＡＸモードに切り替わる際のプリアンブル検出のみ長い保護時間を設定し、ＦＡＸモードに切り替わった後の保護時間を短いものとするため、保護時間による伝送遅延を極力小さく抑え、プリアンブル信号の誤検出も確実に防止することができる。
【図面の簡単な説明】
【図１】本発明の一実施の形態にかかるプリアンブル信号検出制御回路のブロック図である。
【図２】本発明の一実施の形態の処理遅延変化図である。
【図３】本発明の一実施の形態にかかるプリアンブル信号検出制御回路の動作を示すフローチャートである。
【図４】  本発明の他の実施の形態にかかるプリアンブル信号検出制御回路のブロック図である。
【図５】従来技術のおける処理遅延変化図である。
【符号の説明】
１   プリアンブル信号検出回路
２   保護時間カウンタ制御回路
３   検出判定回路
４   保護時間設定回路
【図１】
0003652967.tif 000002
【図２】
0003652967.tif 000003
【図３】
0003652967.tif 000004
【図４】
0003652967.tif 000005
【図５】
0003652967.tif 000006